(57)【要約】【課題】無線ＬＡＮとの接続を確立するための設定情報を設定する際にＭＡＣアドレス資源を節約できる通信装置、通信システム及び無線アクセスポイント接続方法を提供する。【解決手段】イーサネットデータと無線ＬＡＮデータとを互いに変換するブリッジ機能を有し、イーサネット接続に対応している情報処理装置６に接続されこの情報処理装置６を無線アクセスポイント７に接続する通信装置１であって、ＤＨＣＰサーバ部２により、情報処理装置６からＤＨＣＰディスカバーを受信し、この受信に応じて割り振ったＩＰアドレスを含んだＤＨＣＰオファーを情報処理装置６に送信し、設定部３により、無線アクセスポイント７に接続するための設定情報をＤＨＣＰオファーに含まれるＩＰアドレスを有する情報処理装置６から受け、制御部４により設定情報を用いて無線アクセスポイント７との接続を制御する。【選択図】      図１
2014023099.tif 000002
【特許請求の範囲】
【請求項１】
イーサネットのデータと無線ＬＡＮ（Ｌｏｃａｌ  Ａｒｅａ  Ｎｅｔｗｏｒｋ）のデータとを互いに変換するブリッジ機能を有し、イーサネット接続に対応している情報処理装置に接続されこの情報処理装置を無線アクセスポイントに接続する通信装置であって、
前記情報処理装置からＤＨＣＰ（Ｄｙｎａｍｉｃ  Ｈｏｓｔ  Ｃｏｎｆｉｇｕｒａｔｉｏｎ  Ｐｒｏｔｏｃｏｌ）ディスカバーを受信し、この受信に応じてＩＰ（Ｉｎｔｅｒｎｅｔ  Ｐｒｏｔｏｃｏｌ）アドレスを割り振り、この割り振ったＩＰアドレスを含んだＤＨＣＰオファーを前記情報処理装置に送信するＤＨＣＰサーバ部と、
記憶部と、
前記無線アクセスポイントに接続するための設定情報を前記ＤＨＣＰサーバ部が送信した前記ＤＨＣＰオファーに含まれる前記ＩＰアドレスを有する前記情報処理装置から受け、この設定情報を前記記憶部に格納する設定部と、
前記記憶部に格納された前記設定情報を用いて前記無線アクセスポイントとの接続を制御する制御部と、
を備えたことを特徴とする通信装置。
【請求項２】
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が受信した前記ＤＨＣＰオファーにより指定されたＩＰアドレスを自身の通信装置のＩＰアドレスと決定する、
ことを特徴とする請求項１記載の通信装置。
【請求項３】
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、この作成した第１のＩＰアドレスをＡＲＰ（Ａｄｄｒｅｓｓ  Ｒｅｓｏｌｉｔｉｏｎ  Ｐｒｏｔｏｃｏｌ）リクエストに設定してブロードキャストにより前記無線アクセスポイントに送信し、前記無線アクセスポイントから前記ＡＲＰリクエストに対応するＡＲＰリプライを受信しない場合、前記第１のＩＰアドレスを自身の通信装置のＩＰアドレスと決定する、
ことを特徴とする請求項１記載の通信装置。
【請求項４】
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が前記無線アクセスポイントにＤＨＣＰディスカバーをブロードキャストにより送信した際に自身の通信装置のＩＰアドレスを未確定に設定し、前記ＤＨＣＰサーバ部が受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、この作成した第１のＩＰアドレスをＡＲＰリクエストに設定してブロードキャストにより無線アクセスポイントに送信し、この送信した前記第１のＩＰアドレスが設定されているＡＲＰリクエストのパケットを前記無線アクセスポイントから受けた場合、この受けた前記パケットからこのパケットの送信元のＭＡＣアドレス（Ｍｅｄｉａ  Ａｃｃｅｓｓ  Ｃｏｎｔｒｏｌ  Ａｄｄｒｅｓｓ）を抽出し、この抽出したＭＡＣアドレスと自身の通信装置のＭＡＣアドレスとを所定のルールに基づいて順番決めし、この順番に応じた数を前記第１のＩＰアドレスに加算して新たな第１のＩＰアドレスを作成し、ＡＲＰリクエストにこの新たな前記第１のＩＰアドレスを設定してブロードキャストにより送信し、前記無線アクセスポイントから前記ＡＲＰリクエストに対応するＡＲＰリプライを受信しない場合、この新たな第１のＩＰアドレスを自身の通信装置のＩＰアドレスと決定する、
ことを特徴とする請求項１記載の通信装置。
【請求項５】
前記ＩＰアドレス補正部は、
前記無線アクセスポイントから前記ＡＲＰリプライを受信した場合、前記無線アクセスポイントから前記ＡＲＰリプライを受信しなくなるまで、この受信した前記ＡＲＰリプライに対応する前記第１のＩＰアドレスに、例えば１を加えた新たな第１のＩＰアドレスをＡＲＰリクエストに設定して前記無線アクセスポイントにブロードキャストにより送信し、この送信した前記ＡＲＰリクエストに対応するＡＲＰリプライを前記無線アクセスポイントから受信しない場合、新たな前記第１のＩＰアドレスを自身の通信装置のＩＰアドレスと決定する、
ことを特徴とする請求項３又は４記載の通信装置。
【請求項６】
前記ＤＨＣＰサーバ部は、前記ＩＰアドレス補正部が自身の通信装置のＩＰアドレスを決めた後に、ＤＨＣＰサーバ機能を停止し、
前記制御部は、前記ＤＨＣＰサーバ部がＤＨＣＰサーバ機能を停止した後に、前記情報処理装置との接続を切断させ、その後、前記情報処理装置と再度接続させ、前記情報処理装置からＤＨＣＰディスカバーを受けて、このＤＨＣＰディスカバーを無線アクセスポイントに送信させ、この送信したＤＨＣＰディスカバーに対応するＤＨＣＰオファーを前記無線アクセスポイントから受け、このＤＨＣＰオファーを前記情報処理装置に送信させる制御をする、
ことを特徴とする請求項５記載の通信装置。
【請求項７】
請求項１、２、３、４、又は５記載の前記通信装置と、
前記通信装置にＤＨＣＰディスカバーを送信し、この送信に応じて前記通信装置が割り振ったＩＰアドレスを含んだＤＨＣＰオファーを前記通信装置から受け、前記ＤＨＣＰオファーにより指定された前記通信装置が割り振った前記ＩＰアドレスを自身の情報処理装置に設定し、ユーザの操作に基づいて入力された前記設定情報をＤＨＣＰオファーに含まれる送信元のＩＰアドレスを有する前記通信装置に例えばＴCＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルで送信する前記情報処理装置と、
を備えたことを特徴とする通信システム。
【請求項８】
請求項６記載の前記通信装置と、
前記通信装置にＤＨＣＰディスカバーを送信し、この送信に応じて前記通信装置が割り振ったＩＰアドレスを含んだＤＨＣＰオファーを前記通信装置から受け、前記ＤＨＣＰオファーにより指定された前記通信装置が割り振った前記ＩＰアドレスを自身の情報処理装
置に設定し、ユーザの操作に基づいて入力された前記設定情報をＤＨＣＰオファーに含まれる送信元のＩＰアドレスを有する前記通信装置に例えばＴCＰ／ＩＰプロトコルで送信し、前記通信装置との接続が切断され前記通信装置に再度リンクした後に、前記通信装置にＤＨＣＰディスカバーを送信し、この送信したＤＨＣＰディスカバーに対応するＤＨＣＰオファーを前記通信装置から受け、このＤＨＣＰオファーにより指定されたＩＰアドレスを自身の情報処理装置に設定する前記情報処理装置と、
を備えたことを特徴とする通信システム。
【請求項９】
イーサネットのデータと無線ＬＡＮのデータとを互いに変換するブリッジ機能を有し、イーサネット接続に対応している情報処理装置に接続されこの情報処理装置を無線アクセスポイントに接続する通信装置の無線アクセスポイント接続方法であって、
前記情報処理装置からＤＨＣＰディスカバーを受信し、この受信に応じてＩＰアドレスを割り振り、この割り振ったＩＰアドレスを含んだＤＨＣＰオファーを前記情報処理装置に送信し、
前記無線アクセスポイントに接続するための設定情報を前記送信した前記ＤＨＣＰオファーに含まれる割り振られた前記ＩＰアドレスを有する前記情報処理装置から受け、
この受けた前記設定情報を用いて前記無線アクセスポイントと接続する、
ことを特徴とする無線アクセスポイント接続方法。
【請求項１０】
前記無線アクセスポイントと接続した後に、前記無線アクセスポイントにＤＨＣＰディスカバーをブロードキャストにより送信し、
前記無線アクセスポイントから前記ＤＨＣＰディスカバーに対応したＤＨＣＰオファーを受信し、
この受信した前記ＤＨＣＰオファーにより指定されたＩＰアドレスを自身の通信装置のＩＰアドレスと決定する、
ことを特徴とする請求項９記載の無線アクセスポイント接続方法。
【発明の詳細な説明】
【技術分野】
【０００１】
本発明は、通信装置、通信システム及び無線アクセスポイント接続方法に関し、ＭＡＣアドレス資源を節約できる通信装置、通信システム及び無線アクセスポイント接続方法に関する。
【背景技術】
【０００２】
イーサネット（Ｅｔｈｅｒｎｅｔ、登録商標）等の有線ＬＡＮ接続に対応している情報処理装置を無線ＬＡＮに接続する場合、一般的に、この情報処理装置に接続したイーサネットケーブルと無線ＬＡＮとの間に、イーサネットコンバータを設置する。ＬＡＮ（Ｌｏｃａｌ  Ａｒｅａ  Ｎｅｔｗｏｒｋ）とは、ローカルエリアネットワークである。情報処理装置は、例えば、パーソナルコンピュータ（ＰＣ）、プリンタ、複写機等である。イーサネットコンバータは、例えば、ＩＥＥＥ８０２．１１ａ／ｇを含む無線ＬＡＮ規格によって無線アクセスポイントと無線接続し、イーサネットのデータと無線ＬＡＮのデータとを互いに変換するブリッジ機能を有する通信装置である。情報処理装置は、イーサネットケーブルによりイーサネットコンバータと接続した後に、無線ＬＡＮとの接続を確立するために必要なパラメータを示すネットワーク情報等の設定情報をイーサネットコンバータに設定する。無線ＬＡＮとの接続とは、無線ＬＡＮに接続された、例えば無線アクセスポイントとの接続を示す。イーサネットコンバータに設定情報を設定することを装置設定、あるいは機器設定という。無線ＬＡＮとの接続を確立するために必要なパラメータは、例えば、無線アクセスポイントの識別子（ＳＳＩＤ：Ｓｅｒｖｉｃｅ  Ｓｅｔ  ＩＤｅｎｔｉｆｉｅｒ）、暗号化されたデータを解読するための暗号化キー等を含む。情報処理装置がイーサネットコンバータに装置設定し、イーサネットコンバータがこの設定情報に基づいて無線アクセスポイントに接続することにより、イーサネットコンバータが無線ＬＡＮに接続される。したがって、情報処理装置がイーサネットコンバータを介して無線ＬＡＮに接続される。
【０００３】
イーサネット接続に対応している情報処理装置を無線ＬＡＮに接続する場合に、イーサネットコンバータに対して装置設定を行う技術が特許文献１に開示されている。特許文献１に開示の通信システムは、情報処理装置（ＰＣ等）と、この情報処理装置とイーサネット接続された通信装置（イーサネットコンバータ）とを有する。イーサネットコンバータには、固有のＭＡＣアドレス（Ｍｅｄｉａ  Ａｃｃｅｓｓ  Ｃｏｎｔｒｏｌ  ａｄｄｒｅｓｓ）に加えて、他のイーサネットコンバータと共通のＭＡＣアドレスが予め割り当てられている。共通のＭＡＣアドレスはイーサネットコンバータの装置設定時にのみ使用し、それ以外では固有のＭＡＣアドレスが使用される。イーサネットコンバータは、共通のＭＡＣアドレスを専用のアプリケーションプログラムを使用して予め情報処理装置に通知しておく。そして、情報処理装置は、イーサネットコンバータから予め通知された共通のＭＡＣアドレスを使用して無線ＬＡＮとの接続を確立するための設定情報をイーサネットコンバータに対して送信する。イーサネットコンバータはこの設定情報を受信し、この受信した設定情報を自身のイーサネットコンバータに設定する。その後、イーサネットコンバータがこの設定情報に基づいて無線アクセスポイントと接続することにより、イーサネットコンバータが無線ＬＡＮに接続される。したがって、情報処理装置がイーサネットコンバータを介して無線ＬＡＮに接続される。
【先行技術文献】
【特許文献】
【０００４】
【特許文献１】特開２０１２−４９５７号公報
【発明の概要】
【発明が解決しようとする課題】
【０００５】
上述した特許文献１に記載の通信システムは、イーサネット接続に対応している情報処理装置を無線ＬＡＮに接続する場合、イーサネットコンバータに、固有のＭＡＣアドレスに加えて、共通のＭＡＣアドレスを予め割り当てている。この共通のＭＡＣアドレスは、イーサネットコンバータの装置設定時にのみ使用されるものである。また、イーサネットコンバータは、この共通のＭＡＣアドレスを専用のアプリケーションプログラムを使用して予め情報処理装置に通知している。そして、情報処理装置が、共通のＭＡＣアドレスを使用して無線ＬＡＮとの接続を確立するための設定情報をイーサネットコンバータに対して送信し、イーサネットコンバータがこの設定情報を受信し、この受信した設定情報を設定している。
【０００６】
このように、特許文献１に記載の通信システムは、情報処理装置が、共通のＭＡＣアドレスを使用して設定情報をイーサネットコンバータに設定している。この共通のＭＡＣアドレスは、イーサネットコンバータに対して、このイーサネットコンバータに固有なＭＡＣアドレス以外に設定されたイーサネットコンバータの装置設定時にのみ使用されるアドレスである。このため、イーサネットコンバータに対して固有なＭＡＣアドレス以外にＭＡＣアドレスを予め割り当てる必要があるので、ＭＡＣアドレス資源の浪費となるといった問題がある。また、特許文献１に記載の通信システムは、イーサネットコンバータに設定情報を設定するときに使用する共通のＭＡＣアドレスを、イーサネットコンバータが、専用のアプリケーションプログラムを使用して予め情報処理装置に通知している。このため、情報処理装置に共通のＭＡＣアドレスを予め通知するための専用のアプリケーションプログラムが必要となるといった問題がある。
【０００７】
本発明の目的は、上記課題を解決して、無線ＬＡＮとの接続を確立するための設定情報を設定する際に、ＭＡＣアドレス資源を節約でき、ＭＡＣアドレスを通知するための専用のアプリケーションプログラムを必要としない、通信装置、通信システム及び無線アクセスポイント接続方法を提供することである。
【課題を解決するための手段】
【０００８】
本発明の通信装置は、イーサネットのデータと無線ＬＡＮ（Ｌｏｃａｌ  Ａｒｅａ  Ｎｅｔｗｏｒｋ）のデータとを互いに変換するブリッジ機能を有し、イーサネット接続に対応している情報処理装置に接続されこの情報処理装置を無線アクセスポイントに接続する通信装置であって、前記情報処理装置からＤＨＣＰ（Ｄｙｎａｍｉｃ  Ｈｏｓｔ  Ｃｏｎｆｉｇｕｒａｔｉｏｎ  Ｐｒｏｔｏｃｏｌ）ディスカバーを受信し、この受信に応じてＩＰ（Ｉｎｔｅｒｎｅｔ  Ｐｒｏｔｏｃｏｌ）アドレスを割り振り、この割り振ったＩＰアドレスを含んだＤＨＣＰオファーを前記情報処理装置に送信するＤＨＣＰサーバ部と、記憶部と、前記無線アクセスポイントに接続するための設定情報を前記ＤＨＣＰサーバ部が送信した前記ＤＨＣＰオファーに含まれる前記ＩＰアドレスを有する前記情報処理装置から受け、この設定情報を前記記憶部に格納する設定部と、前記記憶部に格納された前記設定情報を用いて前記無線アクセスポイントとの接続を制御する制御部とを備えている。
【０００９】
本発明の通信システムは、本発明の前記通信装置と、前記通信装置にＤＨＣＰディスカバーを送信し、この送信に応じて前記通信装置が割り振ったＩＰアドレスを含んだＤＨＣＰオファーを前記通信装置から受け、前記ＤＨＣＰオファーにより指定された前記通信装置が割り振った前記ＩＰアドレスを自身の情報処理装置に設定し、ユーザの操作に基づいて入力された前記設定情報をＤＨＣＰオファーに含まれる送信元のＩＰアドレスを有する前記通信装置に例えばＴCＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルで送信する前記情報処理装置とを備えている。
【００１０】
本発明の無線アクセスポイント接続方法は、イーサネットのデータと無線ＬＡＮのデータとを互いに変換するブリッジ機能を有し、イーサネット接続に対応している情報処理装置に接続されこの情報処理装置を無線アクセスポイントに接続する通信装置の無線アクセスポイント接続方法であって、前記情報処理装置からＤＨＣＰディスカバーを受信し、この受信に応じてＩＰアドレスを割り振り、この割り振ったＩＰアドレスを含んだＤＨＣＰオファーを前記情報処理装置に送信し、前記無線アクセスポイントに接続するための設定情報を前記送信した前記ＤＨＣＰオファーに含まれる割り振られた前記ＩＰアドレスを有する前記情報処理装置から受け、この受けた前記設定情報を用いて前記無線アクセスポイントと接続するようにしている。
【発明の効果】
【００１１】
本発明によれば、無線ＬＡＮとの接続を確立するための設定情報を設定する際に、ＭＡＣアドレス資源を節約でき、ＭＡＣアドレスを通知するための専用のアプリケーションプログラムを必要としない、通信装置、通信システム及び無線アクセスポイント接続方法を提供することができる。
【図面の簡単な説明】
【００１２】
【図１】本発明の第１の実施の形態に係る通信装置の一例を示す図である。
【図２】本発明の第２の実施の形態に係る通信装置の一例を示す図である。
【図３】本発明の第３の実施の形態に係る通信装置の一例を示す図である。
【図４】本発明の第３の実施の形態の通信装置が無線アクセスポイントに接続された後の動作の一例を示すフローチャートである。
【図５】図４で示すＩＰアドレス補正部がＩＰアドレス自動補正機能によりＩＰアドレスを決定する動作の一例を示すフローチャートである。
【図６】本発明の第４の実施の形態に係る通信装置の一例を示す図である。
【図７】本発明の第４の実施の形態の通信装置が無線アクセスポイントに接続された後の動作の一例を示すフローチャートである。
【図８】図７で示すＩＰアドレス補正部がＩＰアドレス自動補正機能によりＩＰアドレスを決定する動作の一例を示すフローチャートである。
【発明を実施するための形態】
【００１３】
次に、本発明の実施の形態について図面を参照して説明する。
（第１の実施の形態）
図１は、本発明の第１の実施の形態に係る通信装置の一例を示す図である。
【００１４】
図１には、通信装置１とイーサネットケーブルを介して接続する情報処理装置６と、通信装置１を無線ＬＡＮ８に無線接続するための無線アクセスポイント７も記載してある。情報処理装置６は、イーサネット接続に対応し、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）クライアント機能を実装したＤＨＣＰクライアントであり、例えば、パーソナルコンピュータ（ＰＣ）、プリンタ、複写機等である。ＤＨＣＰクライアントとは、ＤＨＣＰクライアント機能に基づき、自身のＩＰアドレスを設定するために、ＤＨＣＰサーバ機能を実装した装置（ＤＨＣＰサーバ）にＩＰアドレスを要求し、ＤＨＣＰサーバから現在ネットワークで使用されていないＩＰアドレスを受ける。ＤＨＣＰサーバは、ネットワークに一時的に接続するＤＨＣＰクライアントにＩＰアドレスを自動的に割り振るプロトコル（ＤＨＣＰ）を備えたＤＨＣＰサーバ機能を有する。すなわち、ＤＨＣＰクライアントからＩＰアドレスを要求するＤＨＣＰディスカバーを示すパケットを受信し、この受信に応じて現在ネットワークで使用されていないＩＰアドレスを割り振る。そして、この割り振ったＩＰアドレスを含んだＤＨＣＰオファーを示すパケットをＤＨＣＰクライアントに送信する。通信装置１は、イーサネットのデータと無線ＬＡＮのデータとを互いに変換するブリッジ機能を有する例えばイーサネットコンバータである。
【００１５】
本実施の形態に係る通信装置１は、ＤＨＣＰサーバ部２と、設定部３と、制御部４と、記憶部５とにより構成される。
【００１６】
ＤＨＣＰサーバ部２は、ＤＨＣＰサーバ機能を有する。すなわち、情報処理装置６からＩＰアドレスを要求するＤＨＣＰディスカバーを示すパケットを受信する。そして、この受信に応じて、現在使用されていないＩＰアドレスを割り振り、この割り振ったＩＰアドレスを含んだＤＨＣＰオファーを示すパケットを情報処理装置６に送信する。設定部３は、無線アクセスポイント７に接続するための設定情報を、情報処理装置６から受け、この設定情報を記憶部５に格納する（自身の通信装置１に設定情報を設定する。すなわち、通信装置１を装置設定する。）。設定情報は、例えば、無線アクセスポイント７の識別子（ＳＳＩＤ：Ｓｅｒｖｉｃｅ  Ｓｅｔ  ＩＤｅｎｔｉｆｉｅｒ）、暗号化されたデータを解読するための暗号化キー等を含む。記憶部５は、設定情報を格納する。制御部４は、記憶部５に格納された設定情報を用いて無線アクセスポイント７との接続を制御し、通信装置を無線アクセスポイント７に接続する。
【００１７】
次に、通信装置１の動作を、情報処理装置６の動作を含めて説明する。
【００１８】
ＤＨＣＰサーバ部２は、イーサネットケーブルにより接続された情報処理装置６が送信したＤＨＣＰディスカバーを示すパケットを受信する。そして、この受信に応じてＩＰアドレスを割り振り、この割り振ったＩＰアドレスを含んだＤＨＣＰオファーを示すパケットを情報処理装置６に送信する。情報処理装置６は、このＤＨＣＰオファーを受け、このＤＨＣＰオファーにより指定されたＩＰアドレスを自身の情報処理装置６に設定する。そして、ユーザの操作に基づいて入力された設定情報をＤＨＣＰオファーに含まれる送信元のＩＰアドレスを有する通信装置１に例えば、イントラネットで標準的に使用するＴCＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルにより送信する。ユーザは予め無線アクセスポイント７に接続するための設定情報を、例えば、無線アクセスポイント７に接続された他のネットワーク装置にＰＣ等を接続して読み取る等により取得しておく。ネットワーク装置とは、ネットワークに接続されたコンピュータ等の通信可能な装置である。設定部３は、情報処理装置６から設定情報を受け、この設定情報を記憶部５に格納する。そして、制御部４が、記憶部５に格納された設定情報を用いて無線アクセスポイント７との接続を制御し、通信装置１を無線アクセスポイント７に接続する。すなわち、制御部４が、ヘッダとペイロード等を有する無線ＬＡＮのＭＡＣフレームを用いて、設定情報を、無線アクセスポイント７の識別子（ＳＳＩＤ）で示す無線アクセスポイント７に送り、この無線アクセスポイント７から接続許可の応答を受けることにより通信装置１が無線ＬＡＮ８（無線アクセスポイント７）に接続される。
【００１９】
このように、本発明の第１の実施の形態によれば、ＤＨＣＰサーバ部２により、情報処理装置６から受信したＤＨＣＰディスカバーに応じてＩＰアドレスを割り振り、この割り振ったＩＰアドレスを含んだＤＨＣＰオファーを情報処理装置６に送信する。そして、設定部３が、情報処理装置６から設定情報を受け、この設定情報を記憶部５に格納する。すなわち、自身の通信装置１に設定情報を設定する。そして、制御部４が、記憶部５に格納された設定情報を用いて無線アクセスポイント７との接続を制御し、通信装置１を無線ＬＡＮ８（無線アクセスポイント７）に接続する。
【００２０】
したがって、本発明の第１の実施の形態によれば、無線ＬＡＮとの接続を確立するための設定情報を設定する際に、ＤＨＣＰサーバ部が割り振ったＩＰアドレスを情報処理装置に送信し、設定部が情報処理装置から設定情報を受け自身の通信装置にこの設定情報を設定する。このため、無線ＬＡＮとの接続を確立するための設定情報を設定する際に、通信装置に対して固有なＭＡＣアドレス以外に共通のＭＡＣアドレスを予め割り当てる必要がない。また、共通のＭＡＣアドレスを予め通知するための専用のアプリケーションプログラムが必要とならない。このため、ＭＡＣアドレス資源を節約でき、ＭＡＣアドレスを通知する専用のアプリケーションプログラムを必要としない。
【００２１】
また、情報処理装置とイーサネットケーブルで接続された通信装置は、装置設定を行う際に、情報処理装置のＩＰアドレスを自動的に変更するので、ユーザが情報処理装置のＩＰアドレスの設定を変更する必要がない。このため、容易に通信装置の装置設定を変更ができ、容易に通信装置を無線ＬＡＮに接続することができる。
（第２の実施の形態）
図２は、本発明の第２の実施の形態に係る通信装置の一例を示す図である。
【００２２】
この図２は、図１で示した通信装置１にＩＰアドレス補正部９を付加したものである。
【００２３】
また、この図２には、通信装置１とイーサネットケーブルを介して接続する情報処理装置６と、通信装置１を無線ＬＡＮ８に無線接続するための無線アクセスポイント７とを記載してある。また、この無線アクセスポイント７とイーサネットケーブルを介して接続されたＤＨＣＰサーバ１０も記載してある。情報処理装置６は、イーサネット接続に対応し、ＤＨＣＰクライアント機能を実装したＤＨＣＰクライアントであり、例えば、パーソナルコンピュータ（ＰＣ）、プリンタ、複写機等である。通信装置１は、イーサネットのデータと無線ＬＡＮのデータとを互いに変換するブリッジ機能を有する例えばイーサネットコンバータである。ＤＨＣＰサーバ１０は、ネットワークに一時的に接続する情報処理装置６にＩＰアドレスを自動的に割り振るプロトコル（ＤＨＣＰ）を備えたサーバであり、例えばルータに内蔵されていていても良い。
【００２４】
本第２の実施の形態は、第１の実施の形態の通信装置１の動作をより具体化したものである。したがって、主に第１の実施の形態と相違する部分について説明する。
【００２５】
本実施の形態に係る通信装置１は、ＤＨＣＰサーバ部２と、設定部３と、制御部４と、記憶部５と、ＩＰアドレス補正部９とにより構成される。
【００２６】
ＤＨＣＰサーバ部２は、通信装置１が無線アクセスポイント７に接続された後に、無線ＬＡＮ８上での自身のＩＰアドレスを確定するために、無線アクセスポイント７にＤＨＣＰディスカバーをブロードキャストにより送信する。そして、ＤＨＣＰサーバ１０から無線アクセスポイント７を介して、送信したＤＨＣＰディスカバーに対応したＤＨＣＰオファーを受信する。このＤＨＣＰオファーには、ＤＨＣＰサーバ１０が割り振った現在無線ＬＡＮ８上で使用されていないＩＰアドレスが含まれている。
【００２７】
ＩＰアドレス補正部９は、ＤＨＣＰサーバ部２が受信したＤＨＣＰオファーから、ＤＨＣＰサーバ１０が指定したＩＰアドレスを取り出し、このＩＰアドレスを自身の通信装置１の無線ＬＡＮ８上でのＩＰアドレスと決定する。
【００２８】
このように、本発明の第２の実施の形態によれば、ＤＨＣＰサーバ部２により、自身の通信装置１が無線アクセスポイント７に接続された後に、無線アクセスポイント７にＤＨＣＰディスカバーをブロードキャストにより送信する。そして、ＤＨＣＰサーバ１０から無線アクセスポイント７を介してＤＨＣＰオファーを受信する。そして、ＩＰアドレス補正部９により、ＤＨＣＰサーバ部２が受信したＤＨＣＰオファーに含まれる、ＤＨＣＰサーバ１０から指定されたＩＰアドレスを自身の通信装置１の無線ＬＡＮ８上でのＩＰアドレスと決定する。
【００２９】
このため、本発明の第２の実施の形態によれば、本発明の第１の実施の形態により得られた効果に加えて、次の効果がある。すなわち、本発明の第２の実施の形態によれば、通信装置が無線アクセスポイントに接続された後に、自動的に無線ＬＡＮ上での自身のＩＰアドレスを決定することができるので、通信装置は自動的に無線ＬＡＮに接続された他の装置と通信ができるようになる。
（第３の実施の形態）
図３は、本発明の第３の実施の形態に係る通信装置の一例を示す図である。
【００３０】
この図３は、図１で示した通信装置１に本発明の第２の実施の形態とは異なるＩＰアドレス補正部１１を付加したものである。
【００３１】
また、この図３には、図２と同様に、通信装置１とイーサネットケーブルを介して接続する情報処理装置６と、通信装置１を無線ＬＡＮ８に無線接続するための無線アクセスポイント７とを記載してある。また、この無線アクセスポイント７とイーサネットケーブルを介して接続されたＤＨＣＰサーバ１０も記載してある。情報処理装置６は、イーサネット接続に対応し、ＤＨＣＰクライアント機能を実装したＤＨＣＰクライアントであり、例えば、パーソナルコンピュータ（ＰＣ）、プリンタ、複写機等である。通信装置１は、イーサネットのデータと無線ＬＡＮのデータとを互いに変換するブリッジ機能を有する例えばイーサネットコンバータである。ＤＨＣＰサーバ１０は、ネットワークに一時的に接続する情報処理装置６にＩＰアドレスを自動的に割り振るプロトコル（ＤＨＣＰ）を備えたサーバであり、例えばルータに内蔵されていていても良い。
【００３２】
本第３の実施の形態は、第１の実施の形態の通信装置１の動作をより具体化したものである。したがって、主に第１の実施の形態と相違する部分について説明する。
【００３３】
本実施の形態に係る通信装置１は、ＤＨＣＰサーバ部２と、設定部３と、制御部４と、記憶部５と、ＩＰアドレス補正部１１とにより構成される。
【００３４】
ＤＨＣＰサーバ部２は、通信装置１が無線アクセスポイント７に接続された後に、無線アクセスポイント７にＤＨＣＰディスカバーをブロードキャストにより送信する。そして、この送信したＤＨＣＰディスカバーに対応したＤＨＣＰオファーを、ＤＨＣＰサーバ１０から無線アクセスポイント７を介して受信する。また、ＤＨＣＰサーバ部２は、ＩＰアドレス補正部１１が自身の通信装置１のＩＰアドレスを決めた後に、ＤＨＣＰサーバ機能を停止する。
【００３５】
ＩＰアドレス補正部１１は、ＤＨＣＰサーバ部２が受信したＤＨＣＰオファーに含まれるこのＤＨＣＰオファーの送信元のＩＰアドレスと同じセグメントになるように第１のＩＰアドレスを作成する。そして、この作成した第１のＩＰアドレスをＡＲＰリクエストに設定してブロードキャストにより無線アクセスポイント７に送信する。
【００３６】
ここで、ＡＲＰ（Ａｄｄｒｅｓｓ  Ｒｅｓｏｌｕｔｉｏｎ  Ｐｒｏｔｏｃｏｌ：アドレス解決プロトコル）とは、送信先のネットワーク装置のＩＰアドレスからこの装置のＭＡＣアドレスを調べるプロトコルである。ネットワーク装置とは、ネットワークに接続されたコンピュータ等の通信可能な装置である。ＡＲＰリクエストのパケットとは、このパケットを受けたネットワーク装置がこのパケットに設定されたＩＰアドレスを備えた装置であるとき、自身のＭＡＣアドレスをこのＡＲＰリクエストのパケットに設定して送り返すようにしたパケットである。この送り返すパケットをＡＲＰリプライのパケットという。したがって、ブロードキャストしたＡＲＰリクエストに対応するＡＲＰリプライが送られてこない場合は、ブロードキャストしたＡＲＰリクエストに設定したＩＰアドレスを使用したネットワーク装置は、このネットワークには接続されていない。
【００３７】
そして、ＩＰアドレス補正部１１は、ＡＲＰリクエストをブロードキャストした後に、このＡＲＰリクエストに対応するＡＲＰリプライを受信しない場合、このＡＲＰリクエストに設定した第１のＩＰアドレスを自身の通信装置１のＩＰアドレスと決定する。
【００３８】
また、ＩＰアドレス補正部１１は、ＡＲＰリクエストをブロードキャストした後に、このＡＲＰリクエストに対応するＡＲＰリプライを受信した場合、このＡＲＰリクエストに設定した第１のＩＰアドレスは、ネットワーク装置に使用されていると判断する。そして、ＡＲＰリプライを受信しなくなるまで、この受信したＡＲＰリプライに対応する第１のＩＰアドレスに、例えば１を加えた新たな第１のＩＰアドレスをＡＲＰリクエストに設定して無線アクセスポイント７にブロードキャストにより送信する。そして、この送信したＡＲＰリクエストに対応するＡＲＰリプライを無線アクセスポイント７から受信しない場合、この新たな第１のＩＰアドレスを自身の通信装置１のＩＰアドレスと決定する。
【００３９】
制御部４は、ＤＨＣＰサーバ部２がＤＨＣＰサーバ機能を停止した後に、情報処理装置６との接続（リンク）を切断させ、その後、情報処理装置６と再度リンクさせる。すると、情報処理装置６は、自身のＩＰアドレスを決めるために、通信装置１にＤＨＣＰディスカバーを送る。このとき、通信装置１のＤＨＣＰサーバ部２は、ＤＨＣＰサーバ機能を停止しているので、制御部４は、図示しない有線送受信部を介して情報処理装置６からＤＨＣＰディスカバーを受け、図示しない無線送受信部を介してこのＤＨＣＰディスカバーを無線アクセスポイント７に送信する。そして、この送信したＤＨＣＰディスカバーに対応するＤＨＣＰオファーを無線アクセスポイント７から無線送受信部を介して受け、このＤＨＣＰオファーを情報処理装置６に有線送受信部を介して送る。これは通信装置１のブリッジ機能である。そして、情報処理装置６はＤＨＣＰオファーを受け、ＤＨＣＰオファーにより指定されたＩＰアドレスを自身の無線ＬＡＮ８上でのＩＰアドレスと決定する。これにより、以後、通信装置１は情報処理装置６と無線アクセスポイント７との間のブリッジ機能を実行する。
【００４０】
次に、本発明の第３の実施の形態に係る通信装置１の動作を図４及び図５を参照して詳細に説明する。
【００４１】
図４は、本発明の第３の実施の形態の通信装置が無線アクセスポイントに接続された後の動作の一例を示すフローチャートである。
【００４２】
図５は、図３で示すＩＰアドレス補正部がＩＰアドレス自動補正機能によりＩＰアドレスを決定する動作の一例を示すフローチャートである。
【００４３】
図４のステップＳ１では、通信装置１が無線アクセスポイント７に接続された後に、ＤＨＣＰサーバ部２は、無線ＬＡＮ８上でのＩＰアドレスを決めるために、無線アクセスポイント７にＤＨＣＰディスカバーをブロードキャストにより送信する。
【００４４】
図４のステップＳ２では、ＤＨＣＰサーバ部２は、ステップＳ１で送信したＤＨＣＰディスカバーに対応したＤＨＣＰオファーの受信を予め定めた期間（例えば、２０秒。２０秒にこだわることなくこの時間はシステムにより適宜変更して良い。）調べる。このＤＨＣＰオファーは、ＤＨＣＰサーバ１０から無線アクセスポイント７を介して受信したものである。ＤＨＣＰオファーの受信がなかった場合には、ステップＳ３へ進む。ＤＨＣＰオファーの受信があった場合には、ステップＳ４へ進む。
【００４５】
図４のステップＳ３では、ＩＰアドレス補正部１１は、ＤＨＣＰサーバ１０からの応答がないので、異常が発生したとして、例えば、ＩＰアドレスを例えば、（１９２．１６８．０．２４０）に決定し、終了する。ＩＰアドレス（１９２．１６８．０．２４０）は、通信装置１が初期状態のとき、若しくはどのローカルエリアネットワークにも属さない場合に設定するアドレスである。
【００４６】
図４のステップＳ４では、ＩＰアドレス補正部１１が、ＩＰアドレス自動補正機能により図５のフローチャートに基づいてＩＰアドレスを決定する。
【００４７】
図４のステップＳ５では、ＤＨＣＰサーバ部２は、ＤＨＣＰサーバ機能を停止する。
【００４８】
図４のステップＳ６では、制御部４は、情報処理装置６との接続（リンク）を切断させ、その後、情報処理装置６と再度リンクさせる。すなわち、制御部４は、データを電気信号に変換して送受信する層である物理層への電源供給を止めることにより、情報処理装置６との接続（リンク）を切断する。そして、制御部４は、物理層への電源供給を再開することにより、情報処理装置６との接続（リンク）を再開させる。
【００４９】
図４のステップＳ７では、情報処理装置６は、通信装置１との接続（リンク）を再開し、自身のＩＰアドレスを決めるために、通信装置１にＤＨＣＰディスカバーを送る。
【００５０】
図４のステップＳ８では、制御部４は、図示しない有線送受信部を介して情報処理装置６からＤＨＣＰディスカバーを受ける。しかし、ＤＨＣＰサーバ部２は、ＤＨＣＰサーバ機能を停止しているので、図示しない無線送受信部を介してこのＤＨＣＰディスカバーを無線アクセスポイント７に送信する（通信装置１のブリッジ機能）。
【００５１】
図４のステップＳ９では、制御部４は、ステップＳ８で送信したＤＨＣＰディスカバーに対応するＤＨＣＰオファーを無線アクセスポイント７から無線送受信部を介して受ける。そして、このＤＨＣＰオファーを情報処理装置６に有線送受信部を介して送る（通信装置１のブリッジ機能）。
【００５２】
図４のステップＳ１０では、情報処理装置６はＤＨＣＰオファーを受け、ＤＨＣＰオファーにより指定されたＩＰアドレスを自身の無線ＬＡＮ８上でのＩＰアドレスに決定する。
【００５３】
次に、図４のステップＳ４の動作、すなわち、ＩＰアドレス補正部１１がＩＰアドレス自動補正機能により通信装置１の無線ＬＡＮ８上でのＩＰアドレスを決定する動作を、図５のフローチャートに基づいて説明する。
【００５４】
図５のステップＳ１では、ＩＰアドレス補正部１１は、ＤＨＣＰサーバ部２が受信したＤＨＣＰオファーに含まれるこのＤＨＣＰオファーの送信元のＩＰアドレス（すなわち、無線アクセスポイント７に接続されたＤＨＣＰサーバ１０のＩＰアドレス）を参照する。そして、この送信元ＩＰアドレスと同じセグメントになるように第１のＩＰアドレス（例えば、ＸＸ．ＹＹ．ＺＺ．２４０（ＸＸ．ＹＹ．ＺＺが同じ））を作成する。
【００５５】
図５のステップＳ２では、ＩＰアドレス補正部１１は、この第１のＩＰアドレスをＡＲＰリクエストに設定してブロードキャストにより無線アクセスポイント７に送信する。
【００５６】
図５のステップＳ３では、ＩＰアドレス補正部１１は、ステップＳ２で送信したＡＲＰリクエストに対応したＡＲＰリプライの受信を予め定めた期間（例えば、２０秒。２０秒にこだわることなくこの時間はシステムにより適宜変更して良い。）調べる。ＡＲＰリプライの受信がなかった場合には、ステップＳ４へ進む。ＡＲＰリプライの受信があった場合には、ステップＳ５へ進む。
【００５７】
図５のステップＳ４では、ＩＰアドレス補正部１１は、ステップＳ２でＡＲＰリクエストに設定した第１のＩＰアドレスは、ネットワーク装置に使用されていないと判断する。そして、この第１のＩＰアドレスを自身の通信装置１の無線ＬＡＮ８上でのＩＰアドレスと決定し終了する。
【００５８】
図５のステップＳ５では、ＩＰアドレス補正部１１は、ステップＳ２でＡＲＰリクエストに設定した第１のＩＰアドレスは、ネットワーク装置に使用されていると判断する。そして、この第１のＩＰアドレスに、例えば１を加えて新たな第１のＩＰアドレスを作成し、ステップＳ２へと進む。
【００５９】
このように、本発明の第３の実施の形態によれば、ＤＨＣＰサーバ部２により、自身の通信装置１が無線アクセスポイント７に接続された後に、無線アクセスポイント７にＤＨＣＰディスカバーをブロードキャストにより送信する。そして、ＤＨＣＰサーバ１０からＤＨＣＰオファーを受信する。そして、ＩＰアドレス補正部１１により、この受信したＤＨＣＰオファーに含まれるこのＤＨＣＰオファーの送信元のＩＰアドレスを参照し、この送信元ＩＰアドレスと同じセグメントの第１のＩＰアドレスを作成する。そして、この作成した第１のＩＰアドレスをＡＲＰリクエストに設定してブロードキャストにより無線アクセスポイント７に送信する。そして、ＩＰアドレス補正部１１は、ＡＲＰリクエストをブロードキャストした後に、このＡＲＰリクエストに対応するＡＲＰリプライを受信しない場合、この第１のＩＰアドレスを自身の通信装置１の無線ＬＡＮ８上でのＩＰアドレスと決定する。
【００６０】
このため、本発明の第３の実施の形態によれば、本発明の第１の実施の形態により得られた効果に加えて、次の効果がある。すなわち、本発明の第３の実施の形態によれば、通信装置が無線アクセスポイントに接続された後に、通信装置に接続された情報処理装置の無線ＬＡＮ上でのＩＰアドレスを自動的に決定することができるので、情報処理装置は自動的に無線ＬＡＮに接続された他の装置と通信ができるようになる。
（第４の実施の形態）
図６は、本発明の第４の実施の形態に係る通信装置の一例を示す図である。
【００６１】
この図６は、図１で示した通信装置１に本発明の第２の実施の形態及び第３の実施の形態とは異なるＩＰアドレス補正部１２を付加したものである。
【００６２】
また、この図６には、図２と同様に、通信装置１とイーサネットケーブルを介して接続する情報処理装置６と、通信装置１を無線ＬＡＮ８に無線接続するための無線アクセスポイント７と、この無線アクセスポイント７とイーサネットケーブルを介して接続されたＤＨＣＰサーバ１０も記載してある。情報処理装置６は、イーサネット接続に対応し、ＤＨＣＰクライアント機能を実装したＤＨＣＰクライアントであり、例えば、パーソナルコンピュータ（ＰＣ）、プリンタ、複写機等である。通信装置１は、イーサネットのデータと無線ＬＡＮのデータとを互いに変換するブリッジ機能を有する例えばイーサネットコンバータである。ＤＨＣＰサーバ１０は、ネットワークに一時的に接続する情報処理装置６にＩＰアドレスを自動的に割り振るプロトコル（ＤＨＣＰ）を備えたサーバであり、例えばルータに内蔵されていても良い。
【００６３】
本第４の実施の形態は、第１の実施の形態の通信装置１の動作をより具体化したものである。したがって、主に第１の実施の形態と相違する部分について説明する。
【００６４】
本実施の形態に係る通信装置１は、ＤＨＣＰサーバ部２と、設定部３と、制御部４と、記憶部５と、ＩＰアドレス補正部１２とにより構成される。
【００６５】
ＤＨＣＰサーバ部２は、通信装置１が無線アクセスポイント７に接続された後に、無線アクセスポイント７にＤＨＣＰディスカバーをブロードキャストにより送信する。そして、この送信したＤＨＣＰディスカバーに対応したＤＨＣＰオファーを、ＤＨＣＰサーバ１０から無線アクセスポイント７を介して受信する。また、ＤＨＣＰサーバ部２は、ＩＰアドレス補正部１２が自身の通信装置１のＩＰアドレスを決めた後に、ＤＨＣＰサーバ機能を停止する。
【００６６】
ＩＰアドレス補正部１２は、ＤＨＣＰサーバ部２が無線アクセスポイント７にＤＨＣＰディスカバーをブロードキャストにより送信した際に自身の通信装置１のＩＰアドレスを未確定(０．０．０．０)に設定する。ＩＰアドレスが未確定の時にはＡＲＰリクエストを受信することができる。このため、ネットワークに接続する本通信装置１と同様の他の通信装置があった場合、この他の通信装置が送信したＡＲＰリクエストを受信することができる。
【００６７】
ＩＰアドレス補正部１２は、ＤＨＣＰサーバ部２が受信したＤＨＣＰオファーに含まれるこのＤＨＣＰオファーの送信元のＩＰアドレスと同じセグメントになるように第１のＩＰアドレスを作成する。そして、この作成した第１のＩＰアドレスをＡＲＰリクエストに設定してブロードキャストにより無線アクセスポイント７に送信する。そして、ＩＰアドレス補正部１２は、ＡＲＰリクエストを無線アクセスポイント７から受けた場合、すなわち、他の通信装置から受けた場合、この受けたパケットからこのパケットの送信元のＭＡＣアドレス（Ｍｅｄｉａ  Ａｃｃｅｓｓ  Ｃｏｎｔｒｏｌ  Ａｄｄｒｅｓｓ）を抽出する。そして、この抽出した、他の通信装置のＭＡＣアドレスと自身の通信装置１のＭＡＣアドレスとを所定のルールに基づいて順番決めをする。そして、この順番に応じた数を第１のＩＰアドレスに加算して新たな第１のＩＰアドレスを作成し、ＡＲＰリクエストにこの新たな第１のＩＰアドレスを設定してブロードキャストにより送信する。そして、無線アクセスポイント７からＡＲＰリクエストに対応するＡＲＰリプライを受信しない場合、この新たな第１のＩＰアドレスを自身の通信装置１のＩＰアドレスと決定する。
【００６８】
また、ＩＰアドレス補正部１２は、ＡＲＰリクエストをブロードキャストした後に、このＡＲＰリクエストに対応するＡＲＰリプライを受信した場合、このＡＲＰリクエストに設定した第１のＩＰアドレスは、ネットワーク装置に使用されていると判断する。そして、ＡＲＰリプライを受信しなくなるまで、この受信したＡＲＰリプライに対応する第１のＩＰアドレスに、例えば１を加えた新たな第１のＩＰアドレスをＡＲＰリクエストに設定して無線アクセスポイント７にブロードキャストにより送信する。そして、この送信したＡＲＰリクエストに対応するＡＲＰリプライを無線アクセスポイント７から受信しない場合、この新たな第１のＩＰアドレスを自身の通信装置１のＩＰアドレスと決定する。
【００６９】
制御部４は、ＤＨＣＰサーバ部２がＤＨＣＰサーバ機能を停止した後に、情報処理装置６との接続（リンク）を切断させ、その後、情報処理装置６と再度リンクさせる。すると、情報処理装置６は、自身のＩＰアドレスを決めるために、通信装置１にＤＨＣＰディスカバーを送る。このとき、通信装置１のＤＨＣＰサーバ部２は、ＤＨＣＰサーバ機能を停止しているので、制御部４は、図示しない有線送受信部を介して情報処理装置６からＤＨＣＰディスカバーを受け、図示しない無線送受信部を介してこのＤＨＣＰディスカバーを無線アクセスポイント７に送信する。そして、この送信したＤＨＣＰディスカバーに対応するＤＨＣＰオファーを無線アクセスポイント７から無線送受信部を介して受け、このＤＨＣＰオファーを情報処理装置６に有線送受信部を介して送る。これは通信装置１のブリッジ機能である。そして、情報処理装置６はＤＨＣＰオファーを受け、ＤＨＣＰオファーにより指定されたＩＰアドレスを自身の無線ＬＡＮ８上でのＩＰアドレスと決定する。これにより、以後、通信装置１は情報処理装置６と無線アクセスポイント７との間のブリッジ機能を実行する。
【００７０】
次に、本発明の第４の実施の形態に係る通信装置の動作を図７及び図８を参照して詳細に説明する。
【００７１】
図７は、本発明の第４の実施の形態の通信装置１が無線アクセスポイント７に接続された後の動作の一例を示すフローチャートである。
【００７２】
図８は、図６で示すＩＰアドレス補正部がＩＰアドレス自動補正機能によりＩＰアドレスを決定する動作の一例を示すフローチャートである。
【００７３】
図７のステップＳ１では、通信装置１が無線アクセスポイント７に接続された後に、ＤＨＣＰサーバ部２は、無線ＬＡＮ８上でのＩＰアドレスを決めるために、無線アクセスポイント７にＤＨＣＰディスカバーをブロードキャストにより送信する。
【００７４】
図７のステップＳ２では、ＤＨＣＰサーバ部２は、ステップＳ１で送信したＤＨＣＰディスカバーに対応したＤＨＣＰオファーの受信を予め定めた期間（例えば、２０秒。２０秒にこだわることなくこの時間はシステムにより適宜変更して良い。）調べる。このＤＨＣＰオファーは、ＤＨＣＰサーバ１０から無線アクセスポイント７を介して受信したものである。ＤＨＣＰオファーの受信がなかった場合には、ステップＳ３進む。ＤＨＣＰオファーの受信があった場合には、ステップＳ４へ進む。
【００７５】
図７のステップＳ３では、ＩＰアドレス補正部１２は、ＤＨＣＰサーバ１０からの応答がないので、異常が発生したとして、例えば、ＩＰアドレスを例えば、（１９２．１６８．０．２４０）に決定し、終了する。ＩＰアドレス（１９２．１６８．０．２４０）は、通信装置１が初期状態のとき、若しくはどのローカルエリアネットワークにも属さない時に設定するアドレスである。
【００７６】
図７のステップＳ４では、ＩＰアドレス補正部１２が、ＩＰアドレス自動補正機能により図５のフローチャートに基づいてＩＰアドレスを決定する。
【００７７】
図７のステップＳ５では、ＤＨＣＰサーバ部２は、ＤＨＣＰサーバ機能を停止する。
【００７８】
図７のステップＳ６では、制御部４は、情報処理装置６との接続（リンク）を切断させ、その後、情報処理装置６と再度リンクさせる。すなわち、制御部４は、データを電気信号に変換して送受信する層である物理層への電源供給を止めることにより、情報処理装置６との接続（リンク）を切断する。そして、制御部４は、物理層への電源供給を再開することにより、情報処理装置６との接続（リンク）を再開させる。
【００７９】
図７のステップＳ７では、情報処理装置６は、通信装置１との接続（リンク）を再開し、自身のＩＰアドレスを決めるために、通信装置１にＤＨＣＰディスカバーを送る。
【００８０】
図７のステップＳ８では、制御部４は、図示しない有線送受信部を介して情報処理装置６からＤＨＣＰディスカバーを受ける。しかし、ＤＨＣＰサーバ部２は、ＤＨＣＰサーバ機能を停止しているので、図示しない無線送受信部を介してこのＤＨＣＰディスカバーを無線アクセスポイント７に送信する（通信装置１のブリッジ機能）。
【００８１】
図７のステップＳ９では、制御部４は、ステップＳ８で送信したＤＨＣＰディスカバーに対応するＤＨＣＰオファーを無線アクセスポイント７から無線送受信部を介して受ける。そして、このＤＨＣＰオファーを情報処理装置６に有線送受信部を介して送る（通信装置１のブリッジ機能）。
【００８２】
図７のステップＳ１０では、情報処理装置６はＤＨＣＰオファーを受け、ＤＨＣＰオファーにより指定されたＩＰアドレスを自身の無線ＬＡＮ８上でのＩＰアドレスに決定する。
【００８３】
次に、図７のステップＳ４の動作、すなわち、ＩＰアドレス補正部１２がＩＰアドレス自動補正機能により通信装置１の無線ＬＡＮ８上でのＩＰアドレスを決定する動作を、図８のフローチャートに基づいて説明する。
【００８４】
図８のステップＳ１では、ＩＰアドレス補正部１２は、ＤＨＣＰサーバ部２が無線アクセスポイント７にＤＨＣＰディスカバーをブロードキャストにより送信した際に自身の通信装置１のＩＰアドレスを未確定(０．０．０．０)に設定する。
【００８５】
図８のステップＳ２では、ＩＰアドレス補正部１２は、ＤＨＣＰサーバ部２が受信したＤＨＣＰオファーに含まれるこのＤＨＣＰオファーの送信元のＩＰアドレス（すなわち、無線アクセスポイント７に接続されたＤＨＣＰサーバ１０のＩＰアドレス）を参照する。そして、この送信元ＩＰアドレスと同じセグメントになるように第１のＩＰアドレス（例えば、ＸＸ．ＹＹ．ＺＺ．２４０（ＸＸ．ＹＹ．ＺＺが同じ））を作成する。
【００８６】
図８のステップＳ３では、ＩＰアドレス補正部１２は、この第１のＩＰアドレスをＡＲＰリクエストに設定してブロードキャストにより無線アクセスポイント７に送信する。
【００８７】
図８のステップＳ４では、ＩＰアドレス補正部１２は、無線アクセスポイント７から送られてくるＡＲＰリクエストのパケットの受信を予め定めた期間（例えば、１０秒。１０秒にこだわることなくこの時間はシステムにより適宜変更して良い。）調べる。このＡＲＰリクエストのパケットには第１のＩＰアドレスが設定されている。調べた結果、ＡＲＰリクエストの受信があった場合（すなわち、他の通信装置（不図示）からこのＡＲＰリクエストのパケット受けた場合）には、自身の通信装置１と同時に無線アクセスポイント７に接続する動作を行なっている自身の通信装置１と同様の他の通信装置がいると判断しステップＳ５へ進む。また、調べた結果ＡＲＰリクエストの受信がなかった場合には、自身の通信装置１と同時に無線アクセスポイント７に接続する動作を行なっている自身の通信装置１と同様の他の通信装置はいないと判断しステップＳ７へ進む。
【００８８】
図８のステップＳ５では、ＩＰアドレス補正部１２は、この受信したＡＲＰリクエストのパケットからこのパケットの送信元（すなわち、他の通信装置）のＭＡＣアドレスを抽出し、この抽出したＭＡＣアドレスと自身の通信装置１のＭＡＣアドレスとを所定のルールに基づいて順番決めを行なう。所定のルールとは、例えば、６つの１６進数で表現されるＭＡＣアドレスの有する、この６つの１６進数を足し合わせ、小さい順にＭＡＣアドレスの順番を決めることである。
【００８９】
図８のステップＳ６では、ＩＰアドレス補正部１２は、この順番に応じた数を第１のＩＰアドレスに加算して新たな第１のＩＰアドレスを作成し、ステップＳ３へ進む。
【００９０】
図８のステップＳ７では、ＩＰアドレス補正部１２は、送信したＡＲＰリクエストに対応したＡＲＰリプライの受信を、ＡＲＰリクエストを送信してから予め定めた期間（例えば、２０秒。２０秒にこだわることなくこの時間はシステムにより適宜変更して良い。）調べる。ＡＲＰリプライの受信がなかった場合には、ステップＳ８へ進む。ＡＲＰリプライの受信があった場合には、ステップＳ９へ進む。
【００９１】
図８のステップＳ８では、ＩＰアドレス補正部１２は、ステップＳ３でＡＲＰリクエストに設定した第１のＩＰアドレスは、ネットワーク装置に使用されていないと判断する。そして、この第１のＩＰアドレスを自身の通信装置１の無線ＬＡＮ８上でのＩＰアドレスと決定し終了する。
【００９２】
図８のステップＳ９では、ＩＰアドレス補正部１２は、ステップＳ３でＡＲＰリクエストに設定した第１のＩＰアドレスは、ネットワーク装置に使用されていると判断する。
そして、この第１のＩＰアドレスに、例えば１を加えて新たな第１のＩＰアドレスを作成し、この作成した第１のＩＰアドレスをＡＲＰリクエストに設定してブロードキャストにより無線アクセスポイント７に送信する。そして、ステップＳ７へ進む。
【００９３】
このように、本発明の第４の実施の形態によれば、ＤＨＣＰサーバ部２により、自身の通信装置１が無線アクセスポイント７に接続された後に、無線アクセスポイント７にＤＨＣＰディスカバーをブロードキャストし、ＤＨＣＰサーバ１０からＤＨＣＰオファーを受信する。
【００９４】
ＩＰアドレス補正部１２は、ＤＨＣＰディスカバーをブロードキャストにより送信した際に自身の通信装置１のＩＰアドレスを未確定に設定する。そして、ＤＨＣＰサーバ部２が受信したＤＨＣＰオファーに含まれるこのＤＨＣＰオファーの送信元のＩＰアドレスを参照し、この送信元ＩＰアドレスと同じセグメントの第１のＩＰアドレスを作成する。そして、この作成した第１のＩＰアドレスをＡＲＰリクエストに設定してブロードキャストにより無線アクセスポイント７に送信する。そして、この送信した第１のＩＰアドレスが設定されているＡＲＰリクエストのパケットを無線アクセスポイント７から受けた場合、自身の通信装置１と同時に無線アクセスポイント７に接続する動作を行なっている他の通信装置がいると判断する。そして、この受けたＡＲＰリクエストのパケットから送信元（他の通信装置）のＭＡＣアドレスを抽出する。そして、この抽出したＭＡＣアドレスと自身の通信装置１のＭＡＣアドレスとの順番に応じた数を第１のＩＰアドレスに加算して新たな第１のＩＰアドレスを作成し、このＩＰアドレスをＡＲＰリクエストに設定してブロードキャストにより送信する。そして、ＩＰアドレス補正部１２は、ＡＲＰリクエストをブロードキャストした後に、このＡＲＰリクエストに対応するＡＲＰリプライを受信しない場合、この第１のＩＰアドレスを自身の通信装置１の無線ＬＡＮ８上でのＩＰアドレスと決定する。
【００９５】
すなわち、本発明の第４の実施の形態によれば、ＩＰアドレス補正部１２により、ＤＨＣＰディスカバーをブロードキャストにより送信した際に自身の通信装置１のＩＰアドレスを未確定に設定する。そして、ＤＨＣＰサーバ部２が受信したＤＨＣＰオファーに含まれるこのＤＨＣＰオファーの送信元のＩＰアドレスと同じセグメントの第１のＩＰアドレスを作成しこの作成した第１のＩＰアドレスをＡＲＰリクエストに設定してブロードキャストにより送信する。そして、この送信した第１のＩＰアドレスが設定されているＡＲＰリクエストのパケットを無線アクセスポイント７から受けた場合、自身の通信装置１と同時に無線アクセスポイント７に接続する動作を行なっている他の通信装置がいると判断する。そして、無線アクセスポイント７から受けたＡＲＰリクエストのパケットから送信元（他の通信装置）のＭＡＣアドレスを抽出し、このＭＡＣアドレスを参照して、他の通信装置と異なる第１のＩＰアドレスを作成する。そして、この作成した第１のＩＰアドレスがネットワークで使用されていないときに、この第１のＩＰアドレスを自身の通信装置１の無線ＬＡＮ８上でのＩＰアドレスと決定する。
【００９６】
このため、本発明の第４の実施の形態によれば、本発明の第１の実施の形態により得られた効果、及び本発明の第３の実施の形態により得られた効果に加えて、次の効果がある。すなわち、本発明の第４の実施の形態によれば、ＩＰアドレス補正部により、自身の通信装置と同時に無線アクセスポイントに接続する動作を行なっている他の通信装置がいるか否かを判断する。そして、無線アクセスポイントに接続する動作を行なっている他の通信装置がいると判断したときには、他の通信装置のＭＡＣアドレスを参照して、他の通信装置と異なる第１のＩＰアドレスを作成する。そして、この作成した第１のＩＰアドレスがネットワークで使用されていないときに、この第１のＩＰアドレスを自身の通信装置の無線ＬＡＮ上でのＩＰアドレスと決定する。このため、他の通信装置が自身の通信装置と同時に無線アクセスポイントに接続する動作を行なっていても、他の通信装置と異なるＩＰアドレスを作成し、このＩＰアドレスを自身の通信装置の無線ＬＡＮ上でのＩＰアドレスと決定することができる。
【００９７】
上記の実施形態の一部または全部は、以下の付記のように記載され得るが、以下には限られない。
（付記１）
イーサネットのデータと無線ＬＡＮ（Ｌｏｃａｌ  Ａｒｅａ  Ｎｅｔｗｏｒｋ）のデータとを互いに変換するブリッジ機能を有し、イーサネット接続に対応している情報処理装置に接続されこの情報処理装置を無線アクセスポイントに接続する通信装置であって、
前記情報処理装置からＤＨＣＰ（Ｄｙｎａｍｉｃ  Ｈｏｓｔ  Ｃｏｎｆｉｇｕｒａｔｉｏｎ  Ｐｒｏｔｏｃｏｌ）ディスカバーを受信し、この受信に応じてＩＰ（Ｉｎｔｅｒｎｅｔ  Ｐｒｏｔｏｃｏｌ）アドレスを割り振り、この割り振ったＩＰアドレスを含んだＤＨＣＰオファーを前記情報処理装置に送信するＤＨＣＰサーバ部と、
記憶部と、
前記無線アクセスポイントに接続するための設定情報を前記ＤＨＣＰサーバ部が送信した前記ＤＨＣＰオファーに含まれる前記ＩＰアドレスを有する前記情報処理装置から受け、この設定情報を前記記憶部に格納する設定部と、
前記記憶部に格納された前記設定情報を用いて前記無線アクセスポイントとの接続を制御する制御部と、
を備えたことを特徴とする通信装置。
（付記２）
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が受信した前記ＤＨＣＰオファーにより指定されたＩＰアドレスを自身の通信装置のＩＰアドレスと決定する、
ことを特徴とする付記１記載の通信装置。
（付記３）
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、この作成した第１のＩＰアドレスをＡＲＰ（Ａｄｄｒｅｓｓ  Ｒｅｓｏｌｉｔｉｏｎ  Ｐｒｏｔｏｃｏｌ）リクエストに設定してブロードキャストにより前記無線アクセスポイントに送信し、前記無線アクセスポイントから前記ＡＲＰリクエストに対応するＡＲＰリプライを受信しない場合、前記第１のＩＰアドレスを自身の通信装置のＩＰアドレスと決定する、
ことを特徴とする付記１記載の通信装置。
（付記４）
ＩＰアドレス補正部を更に備え、
前記ＤＨＣＰサーバ部は、前記制御部により自身の通信装置が前記無線アクセスポイントに接続された後に、前記無線アクセスポイントにＤＨＣＰディスカバーをブロードキャストにより送信し、前記無線アクセスポイントから前記ＤＨＣＰディスカバーに対応したＤＨＣＰオファーを受信し、
前記ＩＰアドレス補正部は、前記ＤＨＣＰサーバ部が前記無線アクセスポイントにＤＨＣＰディスカバーをブロードキャストにより送信した際に自身の通信装置のＩＰアドレスを未確定に設定し、前記ＤＨＣＰサーバ部が受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、この作成した第１のＩＰアドレスをＡＲＰリクエストに設定してブロードキャストにより無線アクセスポイントに送信し、この送信した前記第１のＩＰアドレスが設定されているＡＲＰリクエストのパケットを前記無線アクセスポイントから受けた場合、この受けた前記パケットからこのパケットの送信元のＭＡＣアドレス（Ｍｅｄｉａ  Ａｃｃｅｓｓ  Ｃｏｎｔｒｏｌ  Ａｄｄｒｅｓｓ）を抽出し、この抽出したＭＡＣアドレスと自身の通信装置のＭＡＣアドレスとを所定のルールに基づいて順番決めし、この順番に応じた数を前記第１のＩＰアドレスに加算して新たな第１のＩＰアドレスを作成し、ＡＲＰリクエストにこの新たな前記第１のＩＰアドレスを設定してブロードキャストにより送信し、前記無線アクセスポイントから前記ＡＲＰリクエストに対応するＡＲＰリプライを受信しない場合、この新たな第１のＩＰアドレスを自身の通信装置のＩＰアドレスと決定する、
ことを特徴とする付記１記載の通信装置。
（付記５）
前記ＩＰアドレス補正部は、
前記無線アクセスポイントから前記ＡＲＰリプライを受信した場合、前記無線アクセスポイントから前記ＡＲＰリプライを受信しなくなるまで、この受信した前記ＡＲＰリプライに対応する前記第１のＩＰアドレスに、例えば１を加えた新たな第１のＩＰアドレスをＡＲＰリクエストに設定して前記無線アクセスポイントにブロードキャストにより送信し、この送信した前記ＡＲＰリクエストに対応するＡＲＰリプライを前記無線アクセスポイントから受信しない場合、新たな前記第１のＩＰアドレスを自身の通信装置のＩＰアドレスと決定する、
ことを特徴とする付記３又は４記載の通信装置。
（付記６）
前記ＤＨＣＰサーバ部は、前記ＩＰアドレス補正部が自身の通信装置のＩＰアドレスを決めた後に、ＤＨＣＰサーバ機能を停止し、
前記制御部は、前記ＤＨＣＰサーバ部がＤＨＣＰサーバ機能を停止した後に、前記情報処理装置との接続を切断させ、その後、前記情報処理装置と再度接続させ、前記情報処理装置からＤＨＣＰディスカバーを受けて、このＤＨＣＰディスカバーを無線アクセスポイントに送信させ、この送信したＤＨＣＰディスカバーに対応するＤＨＣＰオファーを前記無線アクセスポイントから受け、このＤＨＣＰオファーを前記情報処理装置に送信させる制御をする、
ことを特徴とする付記５記載の通信装置。
（付記７）
付記１、２、３、４、又は５記載の前記通信装置と、
前記通信装置にＤＨＣＰディスカバーを送信し、この送信に応じて前記通信装置が割り振ったＩＰアドレスを含んだＤＨＣＰオファーを前記通信装置から受け、前記ＤＨＣＰオファーにより指定された前記通信装置が割り振った前記ＩＰアドレスを自身の情報処理装置に設定し、ユーザの操作に基づいて入力された前記設定情報をＤＨＣＰオファーに含まれる送信元のＩＰアドレスを有する前記通信装置に例えばＴCＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルで送信する前記情報処理装置と、
を備えたことを特徴とする通信システム。
（付記８）
付記６記載の前記通信装置と、
前記通信装置にＤＨＣＰディスカバーを送信し、この送信に応じて前記通信装置が割り振ったＩＰアドレスを含んだＤＨＣＰオファーを前記通信装置から受け、前記ＤＨＣＰオファーにより指定された前記通信装置が割り振った前記ＩＰアドレスを自身の情報処理装
置に設定し、ユーザの操作に基づいて入力された前記設定情報をＤＨＣＰオファーに含まれる送信元のＩＰアドレスを有する前記通信装置に例えばＴCＰ／ＩＰプロトコルで送信し、前記通信装置との接続が切断され前記通信装置に再度リンクした後に、前記通信装置にＤＨＣＰディスカバーを送信し、この送信したＤＨＣＰディスカバーに対応するＤＨＣＰオファーを前記通信装置から受け、このＤＨＣＰオファーにより指定されたＩＰアドレスを自身の情報処理装置に設定する前記情報処理装置と、
を備えたことを特徴とする通信システム。
（付記９）
イーサネットのデータと無線ＬＡＮのデータとを互いに変換するブリッジ機能を有し、イーサネット接続に対応している情報処理装置に接続されこの情報処理装置を無線アクセスポイントに接続する通信装置の無線アクセスポイント接続方法であって、
前記情報処理装置からＤＨＣＰディスカバーを受信し、この受信に応じてＩＰアドレスを割り振り、この割り振ったＩＰアドレスを含んだＤＨＣＰオファーを前記情報処理装置に送信し、
前記無線アクセスポイントに接続するための設定情報を前記送信した前記ＤＨＣＰオファーに含まれる割り振られた前記ＩＰアドレスを有する前記情報処理装置から受け、
この受けた前記設定情報を用いて前記無線アクセスポイントと接続する、
ことを特徴とする無線アクセスポイント接続方法。
（付記１０）
前記無線アクセスポイントと接続した後に、前記無線アクセスポイントにＤＨＣＰディスカバーをブロードキャストにより送信し、
前記無線アクセスポイントから前記ＤＨＣＰディスカバーに対応したＤＨＣＰオファーを受信し、
この受信した前記ＤＨＣＰオファーにより指定されたＩＰアドレスを自身の通信装置のＩＰアドレスと決定する、
ことを特徴とする付記９記載の無線アクセスポイント接続方法。
（付記１１）
前記無線アクセスポイントと接続した後に、前記無線アクセスポイントにＤＨＣＰディスカバーをブロードキャストにより送信し、
前記無線アクセスポイントから前記ＤＨＣＰディスカバーに対応したＤＨＣＰオファーを受信し、
この受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、
この作成した前記第１のＩＰアドレスをＡＲＰリクエストに設定してブロードキャストにより前記無線アクセスポイントに送信し、
前記無線アクセスポイントから前記ＡＲＰリクエストに対応するＡＲＰリプライを受信しない場合、前記第１のＩＰアドレスを自身の通信装置のＩＰアドレスと決定する、
ことを特徴とする付記９記載の無線アクセスポイント接続方法。
（付記１２）
前記無線アクセスポイントと接続した後に、前記無線アクセスポイントにＤＨＣＰディスカバーをブロードキャストにより送信し、送信した際に自身の通信装置のＩＰアドレスを未確定に設定し、
前記無線アクセスポイントから前記ＤＨＣＰディスカバーに対応したＤＨＣＰオファーを受信し、
この受信した前記ＤＨＣＰオファーに含まれるこのＤＨＣＰオファーの送信元のＩＰアドレスを参照し、この送信元ＩＰアドレスと同じセグメントになるように第１のＩＰアドレスを作成し、
この作成した前記第１のＩＰアドレスをＡＲＰリクエストに設定してブロードキャストにより無線アクセスポイントに送信し、
この送信した前記第１のＩＰアドレスが設定されているＡＲＰリクエストのパケットを前記無線アクセスポイントから受けた場合、この受けた前記パケットからこのパケットの送信元のＭＡＣアドレスを抽出し、
この抽出したＭＡＣアドレスと自身の通信装置のＭＡＣアドレスとを所定のルールに基づいて順番決めし、
この順番に応じた数を前記第１のＩＰアドレスに加算して新たな第１のＩＰアドレスを作成し、
ＡＲＰリクエストにこの新たな前記第１のＩＰアドレスを設定してブロードキャストにより送信し、
前記無線アクセスポイントから前記ＡＲＰリクエストに対応するＡＲＰリプライを受信しない場合、この新たな第１のＩＰアドレスを自身の通信装置のＩＰアドレスと決定する、
ことを特徴とする付記９記載の無線アクセスポイント接続方法。
（付記１３）
前記無線アクセスポイントから前記ＡＲＰリプライを受信した場合、前記無線アクセスポイントから前記ＡＲＰリプライを受信しなくなるまで、この受信した前記ＡＲＰリプライに対応する前記第１のＩＰアドレスに例えば１を加えた新たな第１のＩＰアドレスをＡＲＰリクエストに設定して前記無線アクセスポイントにブロードキャストにより送信し、この送信した前記ＡＲＰリクエストに対応するＡＲＰリプライを前記無線アクセスポイントから受信しない場合、前記新たな第１のＩＰアドレスを自身の通信装置のＩＰアドレスと決定する、
ことを特徴とする付記９記載の無線アクセスポイント接続方法。
（付記１４）
ＤＨＣＰサーバ機能を停止し、ＤＨＣＰサーバ機能を停止した後に、前記情報処理装置との接続を切断して前記情報処理装置と再度接続させ、
前記情報処理装置からＤＨＣＰディスカバーを受けて、このＤＨＣＰディスカバーを無線アクセスポイントに送信し、
この送信したＤＨＣＰディスカバーに対応するＤＨＣＰオファーを前記無線アクセスポイントから受け、このＤＨＣＰオファーを前記情報処理装置に送信する、
ことを特徴とする付記１３記載の無線アクセスポイント接続方法。
【符号の説明】
【００９８】
１  通信装置
２  ＤＨＣＰサーバ部
３  設定部
４  制御部
５  記憶部
６  情報処理装置
７  無線アクセスポイント
８  無線ＬＡＮ
９  ＩＰアドレス補正部
１０  ＤＨＣＰサーバ
１１  ＩＰアドレス補正部
１２  ＩＰアドレス補正部
【図１】
2014023099.tif 000003
【図２】
2014023099.tif 000004
【図３】
2014023099.tif 000005
【図４】
2014023099.tif 000006
【図５】
2014023099.tif 000007
【図６】
2014023099.tif 000008
【図７】
2014023099.tif 000009
【図８】
2014023099.tif 000010